(57)【要約】【課題】人の肌の色をより簡便に判定することが可能な携帯型端末装置、肌の色判定プログラム及び肌の色判定方法を提供すること。【解決手段】携帯型端末装置１０は、被験者の肌に光を照射する光照射部１０１と、光が照射された照射領域を撮像する撮像部１０２と、照射領域を撮像した撮像画像に含まれる色成分に基づいて被験者の肌の色を判定する肌色判定部１３３と、を備え、光照射部１０１は、予め定められた基準ＲＧＢ値を有する複数の光を順次照射し、肌色判定部１３３は、撮像画像に含まれる撮像ＲＧＢ値と各基準ＲＧＢ値とを比較して被験者の肌の色を判定する構成を有する。【選択図】図２
2016102753.tif 000002
【特許請求の範囲】
【請求項１】
被験者の肌に光を照射する光照射手段と、
前記光が照射された照射領域を撮像する撮像手段と、
前記光照射手段が照射した前記光の色成分と前記照射領域を撮像した撮像画像に含まれる色成分とに基づいて前記被験者の肌の色を判定する肌色判定手段と、
を備えたことを特徴とする携帯型端末装置。
【請求項２】
請求項１に記載の携帯型端末装置において、
前記光照射手段は、色空間において所定範囲内にある複数の色成分をそれぞれ含む複数の光を前記被験者の肌に所定の時間間隔で照射し、
前記撮像手段は、前記各光が照射された照射領域を撮像する、携帯型端末装置。
【請求項３】
請求項１又は２に記載の携帯型端末装置において、
前記被験者の衣服又は身体に装着するために用いられる装着手段を備えた、携帯型端末装置。
【請求項４】
被験者の肌の色を判定する肌の色判定処理をコンピュータに実行させるための肌の色判定プログラムにおいて、
前記コンピュータを、
前記被験者の肌に光を照射する光照射手段、
前記光が照射された照射領域を撮像する撮像手段、及び、
前記光照射手段が照射した前記光の色成分と前記照射領域を撮像した撮像画像に含まれる色成分とに基づいて前記被験者の肌の色を判定する肌色判定手段、
として機能させることを特徴とする肌の色判定プログラム。
【請求項５】
被験者の肌の色を判定する肌の色判定方法において
前記被験者の肌に光を照射し、
前記光が照射された照射領域を撮像し、
前記被験者の肌に照射した前記光の色成分と前記照射領域を撮像した撮像画像に含まれる色成分とに基づいて前記被験者の肌の色を判定することを特徴とする肌の色判定方法。
【発明の詳細な説明】
【技術分野】
【０００１】
本発明は、人の肌の色を判定する携帯型端末装置、肌の色判定プログラム及び肌の色判定方法に関する。
【背景技術】
【０００２】
人の肌は年齢や体調、季節などによって、また化粧品や肌治療の適否によって変化することが知られており、従来、人の肌の変化を認識するため、専用の測色装置を用いて肌の色の測定が行われている。専用の測色装置は高価な機器であるので、エンドユーザが手軽に使用するのは困難である。
【０００３】
このため、中央に肌を露出させるための貫通孔を有し、その周りを複数の色の標示領域が取り囲むように配列されたカラーパッチを用いて、肌の色を測定する画像処理装置が提案されている（例えば、特許文献１）。
【先行技術文献】
【特許文献】
【０００４】
【特許文献１】特開２０１３−１９６３７３号公報
【発明の概要】
【発明が解決しようとする課題】
【０００５】
しかしながら、特許文献１に記載の装置にあっては、ユーザが常にカラーパッチを携帯しておく必要があり、また、肌の色を測定する部位とともにカラーパッチを撮像しなければならないので、煩雑であり、人の肌の色を簡便に判定することが難しい。
【０００６】
本発明は、従来の課題を解決するためになされたものであり、人の肌の色をより簡便に判定することが可能な携帯型端末装置等を提供することを目的とする。
【課題を解決するための手段】
【０００７】
上述した課題を解決するため、本発明は、被験者の肌に光を照射する光照射手段と、前記光が照射された照射領域を撮像する撮像手段と、前記光照射手段が照射した前記光の色成分と前記照射領域を撮像した撮像画像に含まれる色成分とに基づいて前記被験者の肌の色を判定する肌色判定手段と、を備えた構成を有している。
【０００８】
この構成により、本発明の一実施形態における携帯型端末装置などは、光照射手段が照射した光の色成分と照射領域を撮像した撮像画像に含まれる色成分とに基づいて被験者の肌の色を判定するので、従来のように、カラーパッチを携帯させておく必要はなく、また、肌の色を測定する部位とともにカラーパッチを撮像させる必要もない。
【０００９】
したがって、本発明の一実施形態における携帯型端末装置などは、人の肌の色をより簡便に判定することができる。
【発明の効果】
【００１０】
本発明の携帯型端末装置などは、人の肌の色をより簡便に判定することができる。
【図面の簡単な説明】
【００１１】
【図１】本発明に係る携帯型端末装置の一実施形態の構成を示す斜視図である。
【図２】一実施形態の携帯型端末装置のブロック構成図である。
【図３】一実施形態の基準ＲＧＢ値を含む基準ＲＧＢ値テーブル、撮像ＲＧＢ値を含む撮像ＲＧＢ値テーブルの一例を示す図である。
【図４】一実施形態の携帯型端末装置において実行される基準ＲＧＢ値テーブルの登録処理の動作を示すフローチャートである。
【図５】一実施形態の携帯型端末装置において実行される肌の色判定処理の動作を示すフローチャートである。
【発明を実施するための形態】
【００１２】
以下、本発明に係る実施形態について、図面を参照しながら説明する。なお、以下の実施形態は、本発明に係る携帯型端末装置、肌の色判定プログラム及び肌の色判定方法をブレスレット状の携帯型端末装置に適用した場合の実施形態である。ただし、本発明は、その技術的思想を含む範囲で以下の実施形態に限定されない。
【００１３】
［１］携帯型端末装置の概要
まず、図１を用いて本実施形態の携帯型端末装置１０の構成及び概要について説明する。なお、図１は、本実施形態の携帯型端末装置１０が被験者の手首に装着された状態を示す斜視図である。
【００１４】
本実施形態の携帯型端末装置１０は、被験者の手首に装着され、被験者の前腕３０に光を照射し、光が照射された前腕３０の照射領域２０を撮像した撮像画像に含まれる色成分に基づいて被験者の照射領域２０の肌の色を判定するようになっている。
【００１５】
照射領域２０は、後述する光出入射部１１１から照射される光が照射される領域である。図１においては、照射領域２０を四角形で示しているが、照射領域２０はこれに限定されず、円形や楕円形、その他の形状であってもよい。
【００１６】
被験者の前腕３０に照射する光としては、予め登録された色成分の階調値（例えば、Ｒ（赤）Ｇ（緑）Ｂ（青）の階調値）を有する光が用いられる。例えば、被験者が携帯型端末装置１０を購入した店舗において専用の測色装置を使用して、又は、購入した携帯型端末装置１０を使用して、測定して求めた基準となる肌色の光（以下、「基準光」という。）が用いられる。また、被験者の肌の色の変化を把握しやすくするため、基準光に近い肌色成分の光（以下、「準基準光」という。）が数種類用意され、被験者の前腕３０に照射されるようになっている。なお、例えば、本実施形態においては、準基準光としては、基準光に対して、Ｒ、Ｇ、Ｂの各階調値を例えば５〜１０程度増減した複数の光を適用するようになっている。
【００１７】
本実施形態の携帯型端末装置１０は、例えば、基準光及び複数の準基準光を所定の時間間隔で被験者の前腕３０に照射してそれを撮像し、撮像した撮像画像に基づいて被験者の照射領域２０の肌の色を判定するものである。
【００１８】
すなわち、本実施形態の携帯型端末装置１０は、
（１）被験者の前腕３０の肌に光を照射し、
（２）光が照射された照射領域２０を撮像し、
（３）照射領域２０を撮像した撮像画像に含まれる色成分に基づいて被験者の肌の色を判定する処理（以下、「肌の色判定処理」という。）を実行する構成を有している。
【００１９】
この構成により、本実施形態の携帯型端末装置１０は、人の肌の色をより簡便に判定することができるようになっている。
【００２０】
具体的には、図１に示すように、本実施形態の携帯型端末装置１０は、本体部１１と、手首に装着するために用いられる装着部１２と、を備えている。なお、例えば、装着部１２は、本発明の装着手段を構成する。
【００２１】
本体部１１は、照射光を出射して撮像光を入射する光出入射部１１１と、所定の情報を表示する表示部１１２と、被験者が操作する操作部１１３と、を備えている。
【００２２】
光出入射部１１１は、図示を省略したが、照射レンズと撮像レンズを兼ねたレンズと、照射時と撮像時の光路を切り替えるハーフミラーと、を含む光学系と、で構成されている。なお、レンズを駆動する駆動系を備えてもよい。また、照射光を出射する出射部と、撮像光を入射する入射部とを分離して設ける構成としてもよい。
【００２３】
表示部１１２は、肌の色の判定に関する設定情報や肌の色の判定結果などを表示するものである。
【００２４】
操作部１１３は、被験者が所定の操作、例えばコマンドの選択や情報の入出力を行う際に用いられるボタンを備えている。
【００２５】
さらに具体的には、本実施形態の携帯型端末装置１０は、例えば図２に示すような構成を有する。図２は、本実施形態の携帯型端末装置１０のブロック構成図である。
【００２６】
図２に示すように、携帯型端末装置１０は、光出入射部１１１を介して照射領域２０に照射光を照射する光照射部１０１と、光出入射部１１１からの入射光を受光して撮像する撮像部１０２と、液晶パネル等により構成される表示部１１２と、表示部１１２を制御する表示制御部１０３と、操作部１１３と、各部を制御する管理制御部１０４と、上述の各部を相互に接続して各構成要素間におけるデータの転送を実行するバス１０５と、を有している。
【００２７】
特に、光照射部１０１は、例えばレーザ光を２軸で走査して所定の領域に画像を表示するように構成されたものを用いることができる。走査手段としては、例えば回転ミラーのような公知の手段が適宜用いられ得る。なお、例えば、光照射部１０１は、本発明の光照射手段を構成する。
【００２８】
撮像部１０２は、撮像素子として例えばカラーＣＣＤを備え、照射領域２０を撮像した撮像画像のデータを出力するものを用いることができる。この撮像画像のデータは、Ｒ（赤）、Ｇ（緑）、Ｂ（青）の各色成分を含む。なお、例えば、撮像部１０２は、本発明の撮像手段を構成する。
【００２９】
管理制御部１０４は、主に中央演算処理装置（ＣＰＵ）によって構成され、プログラムを実行することによって、携帯型端末装置１０の全体的な管理制御、及び、その他の各種処理の制御を行う。
【００３０】
また、本実施形態の携帯型端末装置１０は、各種のプログラムが実行される際に用いられる各種のデータを記録するデータ記録部１２０と、撮像部１０２が撮像した撮像画像のデータに基づいて所定のデータ処理などを実行するためのデータ処理部１３０と、を有している。
【００３１】
データ記録部１２０は、例えば、ＨＤＤ（Ｈａｒｄ  Ｄｉｓｋ  Ｄｒｉｖｅ）等により構成され、肌の色判定処理など各処理を実行するアプリケーションプログラムが記録されるアプリケーション記録部１２１と、予め定められた基準のＲＧＢ値（以下、「基準ＲＧＢ値」という。）のデータが記録される基準ＲＧＢ値記録部１２２と、撮像部１０２が撮像した撮像画像に含まれるＲＧＢ値（以下、「撮像ＲＧＢ値」という。）のデータを記録する撮像ＲＧＢ値記録部１２３と、各プログラムの実行中にワークエリアとして用いられるＲＯＭ／ＲＡＭ１２４と、を有している。
【００３２】
データ処理部１３０は、撮像部１０２の撮像画像のデータを入力して撮像ＲＧＢ値を取得する撮像ＲＧＢ値取得部１３１と、撮像ＲＧＢ値と基準ＲＧＢ値とを比較する比較部１３２と、比較部１３２の比較結果に基づいて被験者の肌の色を判定する肌色判定部１３３と、を有している。
【００３３】
[２]基準ＲＧＢ値と当該基準ＲＧＢ値を用いる各部の処理
次に、図３を用いて本実施形態における基準ＲＧＢ値及び当該基準ＲＧＢ値を用いる各部の処理について説明する。なお、図３において、図３（ａ）は、基準ＲＧＢ値を含む基準ＲＧＢ値テーブル２００を示す図である。図３（ｂ）は、撮像画像の撮像ＲＧＢ値を含む撮像ＲＧＢ値テーブル２１０を示す図である。図３（ｃ）は、基準ＲＧＢ値と撮像ＲＧＢ値との差分を含む差分ＲＧＢ値テーブル２２０を示す図である。
【００３４】
図３（ａ）に示すように、本実施形態では、基準ＲＧＢ値テーブル２００は、５つの基準ＲＧＢ値を含むものとしている。すなわち、基準ＲＧＢ値テーブル２００は、Ｒ、Ｇ、Ｂの各階調値が十進数の０〜２５５で表された基準ＲＧＢ値１〜５を含む。このうち、基準ＲＧＢ値３は、現在の中心値であり、Ｒ＝２５０、Ｇ＝２３０、Ｂ＝２００に設定されている。
【００３５】
基準ＲＧＢ値３に対し、本実施形態では、Ｒ、Ｇ、Ｂの各階調値を±５ステップで変更している。例えば、基準ＲＧＢ値２は、基準ＲＧＢ値３に対してＲ、Ｇ、Ｂの各階調値を５だけ減少した値を含む。基準ＲＧＢ値１は、基準ＲＧＢ値３に対してＲ、Ｇ、Ｂの各階調値を１０だけ減少した値を含む。基準ＲＧＢ値４は、基準ＲＧＢ値３に対してＲ、Ｇ、Ｂの各階調値を５だけ増加した値を含む。基準ＲＧＢ値５は、基準ＲＧＢ値３に対してＲ、Ｇ、Ｂの各階調値を１０だけ増加した値を含む。
【００３６】
したがって、本実施形態における基準ＲＧＢ値テーブル２００は、ＲＧＢで定まる色空間において、予め定められた中心値の基準ＲＧＢ値３に対して、Ｒ、Ｇ、Ｂの各階調値が±１０の範囲となる色成分を含んでいる。この基準ＲＧＢ値テーブル２００は、基準ＲＧＢ値記録部１２２に記録され、光照射部１０１及び比較部１３２によって読み出される。
【００３７】
光照射部１０１は、基準ＲＧＢ値記録部１２２から基準ＲＧＢ値テーブル２００を読み出すことにより、基準ＲＧＢ値１〜５に基づいた照射光を照射領域２０に所定時間間隔（例えば１秒間隔）で順次照射するようになっている。光照射部１０１が基準ＲＧＢ値３のＲＧＢ値を含む光を照射する場合は、その光は上述の基準光である。また、光照射部１０１が基準ＲＧＢ値１、２、４、５の各ＲＧＢ値を含む各光を照射する場合は、それらの光は上述の準基準光である。
【００３８】
撮像ＲＧＢ値取得部１３１は、撮像部１０２から撮像画像のデータを入力し、その撮像画像に含まれるＲＧＢ値を取得するようになっている。撮像ＲＧＢ値取得部１３１が取得した撮像ＲＧＢ値は、光照射部１０１が照射した光の色成分と、被験者の肌の色成分とを含み、例えば図３（ｂ）に示す撮像ＲＧＢ値テーブル２１０に示す値となる。
【００３９】
図３（ｂ）において、撮像ＲＧＢ値１〜５でのＲ、Ｇ、Ｂの各階調値が示されている。撮像ＲＧＢ値１〜５は、それぞれ、基準ＲＧＢ値１〜５を含む光を個別に光照射部１０１が照射した際に、撮像部１０２が撮像した撮像画像に含まれるＲ、Ｇ、Ｂの各階調値である。例えば、撮像ＲＧＢ値３は、光照射部１０１が基準ＲＧＢ値３の光を照射領域２０に照射した際に、撮像部１０２が撮像した撮像画像に含まれるＲ、Ｇ、Ｂの各階調値を示している。
【００４０】
撮像ＲＧＢ値取得部１３１が取得した撮像ＲＧＢ値１〜５のデータは、撮像ＲＧＢ値記録部１２３に記録される。
【００４１】
比較部１３２は、基準ＲＧＢ値テーブル２００と、撮像ＲＧＢ値テーブル２１０とを比較するようになっている。具体的には、比較部１３２は、基準ＲＧＢ値テーブル２００に含まれる各ＲＧＢ値と、撮像ＲＧＢ値テーブル２１０に含まれる各ＲＧＢ値との差分を求めるものである。比較部１３２が求めた差分のデータが含まれる差分ＲＧＢ値テーブル２２０の一例を図３（ｃ）に示す。
【００４２】
図３（ｃ）に示すように、差分ＲＧＢ値テーブル２２０は、基準ＲＧＢ値１〜５の各ＲＧＢ値（図３（ａ）参照）と、撮像ＲＧＢ値１〜５の各ＲＧＢ値（図３（ｂ）参照）との差分を求めたものである。差分ＲＧＢ値テーブル２２０において、基準ＲＧＢ値よりも撮像ＲＧＢ値が増加したものを正の値で示し、基準ＲＧＢ値よりも撮像ＲＧＢ値が減少したものを負の値で示している。
【００４３】
また、比較部１３２は、撮像ＲＧＢ値１〜５毎に、求めた差分の絶対値の和（以下、「差分絶対値和」という。）を求めるようになっている。具体的には、比較部１３２は、撮像ＲＧＢ値１〜５毎に、Ｒ、Ｇ、Ｂの各階調値の差分の絶対値を加算し、差分絶対値和を求める。例えば、比較部１３２は、撮像ＲＧＢ値３の場合には、Ｒ値の差分＝−４、Ｇ値の差分＝−２、Ｂ値の差分＝−３であるから、各差分の絶対値を加算して差分絶対値和として“９”を得る。
【００４４】
肌色判定部１３３は、比較部１３２が算出した差分絶対値和のうち、最も小さい差分絶対値和に基づいて、被験者の肌の色を判定するようになっている。例えば、肌色判定部１３３は、図３（ｃ）に示した差分ＲＧＢ値テーブル２２０が得られた場合には、撮像ＲＧＢ値４の差分絶対値和が最も小さいことを把握する。そして、肌色判定部１３３は、撮像ＲＧＢ値４の色成分を含む撮像画像が得られた照射光は基準ＲＧＢ値４（図３（ａ）参照）の色であるので、この基準ＲＧＢ値４の色が被験者の肌の色であると判定する。なお、例えば、肌色判定部１３３は、本発明の肌色判定手段を構成する。
【００４５】
管理制御部１０４は、基準ＲＧＢ値４を新たな基準の中心値に更新し、基準ＲＧＢ値記録部１２２に記録する。なお、基準の中心値を更新しない構成としてもよい。
【００４６】
［３］携帯型端末装置の動作
［３．１］テーブル登録処理の動作
次に、図４を用いて本実施形態の携帯型端末装置１０において実行される基準ＲＧＢ値テーブル２００の登録処理について説明する。この登録処理は、例えば、被験者が携帯型端末装置１０を購入した際に、又は、購入後に携帯型端末装置１０をリセットして初期状態に戻した際などに実行される。なお、図４は、携帯型端末装置１０において実行される基準ＲＧＢ値テーブル２００の登録処理の動作を示すフローチャートである。
【００４７】
まず、管理制御部１０４が操作部１１３を介して入力された被験者の操作を判定すると（ステップＳ１０１）、管理制御部１０４は、ＲＧＢ値を粗く変更しながら最も近い肌の色を取得する処理を実行する（ステップＳ１０２）。
【００４８】
具体的には、管理制御部１０４は、予め定められた基準ＲＧＢ値を基準として、例えばＲ、Ｇ、Ｂの各階調値をともに又は個々に１０ずつ増加させ又は減少させた光を所定時間間隔で順次光照射部１０１に照射させる。撮像部１０２は、光照射部１０１が照射した照射領域を順次撮像し、それぞれの撮像ＲＧＢ値を取得する。その結果、図３（ｂ）に示したような結果が得られる。比較部１３２は、基準ＲＧＢ値と撮像ＲＧＢ値との差分を求め、差分絶対値和を算出する。肌色判定部１３３は、ＲＧＢ値を粗く変更したなかで、差分絶対値和が最も小さい基準ＲＧＢ値（最も近い肌の色）を得る。
【００４９】
次いで、管理制御部１０４は、ステップＳ１０２で取得された基準ＲＧＢ値を中心値として、ＲＧＢ値を細かく変更しながら最も近い肌の色を取得する処理を実行し（ステップＳ１０３）、ステップＳ１０２と同様な処理を行って肌色判定部１３３が基準ＲＧＢ値を得る（ステップＳ１０４）。なお、ステップＳ１０３の処理は、ステップＳ１０２においてＲ、Ｇ、Ｂの各階調値をともに又は個々に１０ずつ増加又は減少させたのを、例えば５ずつ増加させ又は減少させる。
【００５０】
次いで、管理制御部１０４は、ステップＳ１０４で取得された基準ＲＧＢ値を中心値として、Ｒ、Ｇ、Ｂの各階調値をともに又は個々に例えば５ずつ増加させ又は減少させて、準基準値のＲＧＢ値を決定し（ステップＳ１０５）、取得した基準ＲＧＢ及び決定した準基準値ＲＧＢ値を基準ＲＧＢ値記録部１２２に記録する（ステップＳ１０６）なお、この結果、図３（ａ）に例示したような基準ＲＧＢ値テーブル２００が得られ、基準ＲＧＢ値記録部１２２に記録されることにより登録される。
【００５１】
［３．２］肌の色判定処理の動作
次に、図５を用いて本実施形態の携帯型端末装置１０において実行される肌の色判定処理について説明する。なお、図５は、携帯型端末装置１０において実行される判定時の肌の色判定処理の動作を示すフローチャートである。
【００５２】
まず、管理制御部１０４が操作部１１３を介して入力されたユーザの操作を判定すると（ステップＳ１１１）、管理制御部１０４は、変数ｎを初期化（ステップＳ１１２）し、ｎの値をインクリメントする（ステップＳ１１３）。なお、変数ｎは、照射回数又は撮像回数を示す変数であり、本実施形態ではｎ＝１〜５とする。ただし、ｎはこれに限られない。
【００５３】
次いで、光照射部１０１及び撮像部１０２は、それぞれ、１回目（ｎ＝１）の照射及び撮像を行う（ステップＳ１１４）。具体的には、光照射部１０１は、基準ＲＧＢ値１（図３（ａ）参照）の光を照射領域２０に照射する。撮像部１０２は、照射領域２０を撮像し、撮像画像のデータを撮像ＲＧＢ値取得部１３１に出力する。撮像ＲＧＢ値取得部１３１は、撮像画像のデータから撮像ＲＧＢ値を取得し、撮像ＲＧＢ値記録部１２３に記録する。
【００５４】
次いで、比較部１３２は、光照射部１０１が照射した照射光の光成分である基準ＲＧＢ値１と、これに対応して撮像された撮像画像から取得した撮像ＲＧＢ値とを比較し、両者の差分を算出して、差分絶対値和を算出する（ステップＳ１１５）。
【００５５】
次いで、管理制御部１０４は、ｎ＝５か否かを判断する（ステップＳ１１６）。ステップＳ１１６において、ｎ＝５であると判断されなかった場合には、ステップＳ１１３に戻り、ｎの値がインクリメントされてｎ＝２となり、ステップＳ１１４において基準ＲＧＢ値２の光が照射領域２０に照射され、撮像部１０２によって照射領域２０が撮像されることとなる。以降、ｎ＝３、４、５になると、ステップＳ１１４において、それぞれ、基準ＲＧＢ値３〜５の光が照射領域２０に順次照射され、撮像部１０２によって照射領域２０が撮像されることとなる。
【００５６】
一方、ステップＳ１１６において、ｎ＝５と判断された場合には、肌色判定部１３３は、差分絶対値和に基づいて被験者の肌の色を判定する（ステップＳ１１７）。例えば、図３（ｃ）に示したように、撮像ＲＧＢ値４の差分絶対値和が最小であった場合には、肌色判定部１３３は、撮像ＲＧＢ値４の色成分を含む撮像画像が得られた照射光は基準ＲＧＢ値４（図３（ａ）参照）の色であるので、この基準ＲＧＢ値４の色が被験者の肌の色であると判定する。
【００５７】
次いで、管理制御部１０４は、基準ＲＧＢ値４を新たな中心値として基準ＲＧＢ値記録部１２２に登録する（ステップＳ１１８）。これに応じて、管理制御部１０４は、新たな準基準ＲＧＢ値を決定する。
【００５８】
次いで、表示制御部１０３は、肌色判定部１３３によって判定された被験者の肌の色のデータを表示部１１２に表示する（ステップＳ１１９）。
【００５９】
［４］変形例
［４．１］変形例１
上記実施形態では、携帯型端末装置１０が基準ＲＧＢ値記録部１２２及び撮像ＲＧＢ値記録部１２３を備える構成を例に挙げて説明したが、本発明はこれに限定されない。例えば、所定のネットワークに接続する通信機能を携帯型端末装置１０に持たせ、ネットワーク上に設けたデータベースサーバに対して基準ＲＧＢ値や撮像ＲＧＢ値を記録したり、読み出したりする構成としてもよい。
【００６０】
［４．２］変形例２
上記実施形態では、本発明に係る携帯型端末装置１０をブレスレット状のものに適用した例を挙げたが、本発明はこれに限定されない。例えば、腕時計やメガネ、ブレスレット、指輪、衣服など、被験者の衣服又は身体に装着するために用いられるものに本発明に係る携帯型端末装置を適用することもできる。また、例えば、本発明に係る携帯型端末装置を、被験者が容易に持ち運びできる形状としたり、携帯電話に適用したりすることもできる。これらの適用では、照射光を照射する照射領域は被験者の前腕に限定されず、照射領域を適宜決めることができる。
【００６１】
［４．３］変形例３
上記実施形態では、肌の色を数値化するためにＲＧＢ値を用いたが、本発明はこれに限定されず、例えば、ＸＹＺ表色系、マンセル表色系、Ｌａｂ表色系、Ｌｕｖ表示系、ＣＭＹ表色系などを用いて色情報を数値化する構成としてもよい。
【００６２】
以上、本実施形態の携帯型端末装置１０は、被験者の肌に光を照射する光照射部１０１と、光が照射された照射領域２０を撮像する撮像部１０２と、照射領域２０を撮像した撮像画像に含まれる色成分に基づいて被験者の肌の色を判定する肌色判定部１３３と、を備え、光照射部１０１は、予め定められた基準ＲＧＢ値を有する複数の光を順次照射し、肌色判定部１３３は、撮像画像に含まれる撮像ＲＧＢ値と各基準ＲＧＢ値とを比較して被験者の肌の色を判定する構成を有する。
【００６３】
この構成により、本実施形態の携帯型端末装置１０は、撮像画像に含まれる色成分に基づいて被験者の肌の色を判定するので、従来のように、被験者がカラーパッチを携帯させておく必要はなく、また、肌の色を測定する部位とともにカラーパッチを撮像させる必要もない。
【００６４】
したがって、本実施形態の携帯型端末装置１０は、人の肌の色をより簡便に判定することができる。
【００６５】
［４．４］変形例４
上記実施形態において、照射領域２０内の一部の領域に白色のプレート（装飾品や生地など）を配置する構成としてもよい。例えば、光照射部１０１が基準ＲＧＢ値３の基準光を照射領域２０に照射した際に、撮像部１０２が照射領域２０を撮像し、その撮像画像に含まれるＲ、Ｇ、Ｂの各階調値が、屋外又は屋内など同一の被験者の肌であっても撮像環境条件により変化してしまう場合がある。
【００６６】
このような場合には、携帯型端末装置１０は、白色のプレートに照射された基準光を撮像し、これを参照光として肌の色の判定に資することができるので、より判定精度を向上させることができる。
【符号の説明】
【００６７】
１０  携帯型端末装置
１２  装着部
２０  照射領域
１０１  光照射部
１０２  撮像部
１０３  表示制御部
１０４  管理制御部
１１１  光出入射部
１１２  表示部
１１３  操作部
１２０  データ記録部
１２１  アプリケーション記録部
１２２  基準ＲＧＢ値記録部
１２３  撮像ＲＧＢ値記録部
１２４  ＲＯＭ／ＲＡＭ
１３０  データ処理部
１３１  撮像ＲＧＢ値取得部
１３２  比較部
１３３  肌色判定部
【図１】
2016102753.tif 000003
【図２】
2016102753.tif 000004
【図３】
2016102753.tif 000005
【図４】
2016102753.tif 000006
【図５】
2016102753.tif 000007